(57)【要約】【課題】トレーとケージ本体との相互の連結が確実で、しかも着脱が容易なバックル及び該バックルを用いたペット用ケージを提供すること。【解決手段】バックル１は、第１の部材に固定される基台６と、基端側が基台６の軸支部６ａに回動可能に支持される支軸２と、支軸２に案内されて摺動可能な本体部とからなる。本体部は、第１バックル本体部３と第２バックル本体部４とからなり、第２バックル本体部４には、第２の部材に係止するフック部４ａが形成されている。バネ掛止部５ａが掛止部４ｂに係止され、バネフック部５ｃが支軸２の係止片２ｃに掛け止めされて、バネ５が軸支２と本体部を連結している。ペット用ケージは、トレー１２と、該トレー１２の周囲に設けられてペットの居住空間を形成するケージ本体１３と、このケージ本体１３とトレー１２とを連結固定するバックル１とからなる。【選択図】　　　　図１
2004121126.tif 000002
【特許請求の範囲】
【請求項１】
第１の部材と第２の部材とを連結するバックルであって、
第１の部材に固定される基台と、
基端側が前記基台に回動可能に支持される支軸と、該支軸に案内されて摺動可能であって第２の部材と係合可能な係合部を有する本体部とを備え、
前記本体部に一方の端部が係止され、他方の端部が前記支軸に係止されてなる弾性部材により前記本体部と前記支軸とを連結する構成としたこと
を特徴とするバックル。
【請求項２】
前記基台は、基板と、該基板上に立設された軸支部とからなり、該軸支部には、前記支軸が回動可能に支持される切欠部が形成され、また、前記軸支部の前記基板側の側端部には、第１の部材に係止される係止用段部が形成されてなることを特徴とする請求項１記載のバックル。
【請求項３】
前記基台の基板は、前記第１の部材に設けられた挿入孔よりも大きく成形されてなり、前記挿入孔の裏側から前記係止用段部に前記第１の部材が係止されるまで挿入して固定する構成としたことを特徴とする請求項１又は請求項２記載のバックル。
【請求項４】
前記支軸は、略Ｕ字状で、先端部が外方向に折り曲げられて前記基台軸支部の切欠部に回動可能に係合する折曲部と、前記弾性部材の他方の端部が係止される係止片が設けられていることを特徴とする請求項１乃至請求項３のうち、何れか１に記載のバックル。
【請求項５】
前記本体部は、第１バックル本体部と第２バックル本体部とが固定されてなり、第１バックル本体部の頂部には、脱着用補助板が設けられ、該脱着用補助板と反対側の底部には、本体部の回動を規制する張出部が形成され、第２バックル本体部には、弾性部材の一方の端部を係止する掛止部と、該掛止部と第２バックル本体部の頂部張出部との間に形成された凹部と、第２バックル本体部の頂部張出部の先端に第２の部材と係合可能な係合部を有し、前記本体部は、第１バックル本体部と第２バックル本体部との間に介装された前記支軸に案内されて摺動可能であることを特徴とする請求項１乃至請求項４に記載のうち、何れか１に記載のバックル。
【請求項６】
前記第２の部材と係合可能な係合部は、フック部と、該フック部に更に突出部が形成されてなることを特徴とする請求項１又は請求項５記載のバックル。
【請求項７】
トレーと、該トレーの周囲に設けられてペットの居住空間を形成するケージ本体と、該ケージ本体を前記トレーに固定するバックルとを備えたペット用ケージであって、
前記バックルは、請求項１乃至請求項６の何れか１に記載のバックルによって構成され、
前記ケージ本体が組み立てられて前記トレーに据え付けられた状態、又は前記ケージ本体が折り畳まれて前記トレー上に重ねられた状態で、前記バックルによって前記ケージ本体が前記トレー側に一体的に固定される構成としたこと
を特徴とするペット用ケージ。
【請求項８】
前記バックルの基台が前記トレーのフランジ部近傍に形成された挿入孔にその裏側から挿入されて前記支軸が回動可能に支持され、前記バックルの係合部が前記ケージ本体に係合されている状態において、
前記バックルの本体部と支軸とを連結する弾性部材の復元力によって前記トレーと前記ケージ本体とを固定する構成としたことを特徴とする請求項７記載のペット用ケージ。
【発明の詳細な説明】
【０００１】
【発明の属する技術分野】
本発明は、トレーとケージ本体等の部材を相互に連結することが可能なバックル及び該バックルを用いたペット用ケージに関する。
【０００２】
【従来の技術】
従来、ペット用ケージとしては、図１０に示すようなものが知られている。図１０は、トレーとケージ本体とをバックルで連結する構造を示す一部断面図である。
【０００３】
図１０に示すように、トレー１２の周囲には、細い棒材が格子状に組み合わされて構成された側壁１３ａを有するケージ本体１３がバックル６０によって連結される。
【０００４】
トレー１２は、フランジ部１２ａ、縦壁部１２ｂ、底板部１２ｃとからなり、皿状に形成されている。
【０００５】
バックル６０は、細い金属の棒材を折り曲げて構成され、バックル６０の基端部は、図１０に示すように、トレー１２のフランジ部１２ａの上部に固定された支軸部６１に回動可能に支持されている。バックル６０の先端部は、ケージ本体１３の側壁１３ａ側に設けられたバックル係止片１０に引っかかるように大きく湾曲した湾曲部が形成されている。バックル６０は、この湾曲部を撓ませてバックル係止片１０に対して着脱させる。バックル６０は、バックル係止片１０に係止された状態で、撓んだ状態のバックル６０の復元力でケージ本体１３をトレー１２に固定する。
【０００６】
【特許文献１】
実公平６−４６２９２号公報（第１図）
【０００７】
なお、本願出願人は、平成１３年８月２日付けで「バックル及びそれを用いたペット用筐体」について特許出願を行っている（特願２００１−２３５４５３）。
【０００８】
【発明が解決しようとする課題】
しかしながら、従来のバックル６０は、金属の棒材を折り曲げて形成しているので、着脱時に指で把持する部分が少ないため、着脱しにくく、作業性が悪い。また、バックル６０は、金属で成形され、バックル係止片１０に係止させるための湾曲部が撓んでその復元力でトレー１２とケージ本体１３とを相互に連結して支持するため、許容できる寸法誤差の範囲が狭く、ある程度高い寸法精度での製造が要求されるため、製造コストが嵩むという課題がある。
【０００９】
そこで、本発明は、上記のような課題を解決するためになされたものであって、トレーとケージ本体との相互の連結が確実で、しかも着脱が容易なバックル及び該バックルを用いたペット用ケージを提供することを目的とするものである。
【００１０】
【課題を解決するための手段】
本発明によるバックルは、第１の部材に固定される基台と、基端側が前記基台に回動可能に支持される支軸と、該支軸に案内されて摺動可能であって第２の部材と係合可能な係合部を有する本体部とを備え、前記本体部に一方の端部が係止され、他方の端部が前記支軸に係止されてなる弾性部材により前記本体部と前記支軸とを連結する構成とした。
【００１１】
また、本発明によるバックルの前記基台は、基板と、該基板上に立設された軸支部とからなり、該軸支部には、前記支軸が回動可能に支持される切欠部が形成され、また、前記軸支部の前記基板側の側端部には、第１の部材に係止される係止用段部を有する。
【００１２】
また、本発明によるバックルの前記基台の基板は、前記第１の部材に設けられた挿入孔よりも大きく成形されてなり、前記挿入孔の裏側から前記係止用段部に前記第１の部材が係止されるまで挿入して固定する構成とした。
【００１３】
また、本発明によるバックルの前記支軸は、略Ｕ字状で、先端部が外方向に折り曲げられて前記基台軸支部の切欠部に回動可能に係合する折曲部と、前記弾性部材の他方の端部が係止される係止片とを有する。
【００１４】
また、本発明によるバックルの前記本体部は、第１バックル本体部と第２バックル本体部とが固定されてなり、第１バックル本体部の頂部には、脱着用補助板が設けられ、該脱着用補助板と反対側の底部には、本体部の回動を規制する張出部が形成され、第２バックル本体部には、弾性部材の一方の端部を係止する掛止部と、該掛止部と第２バックル本体部の頂部張出部との間に形成された凹部と、第２バックル本体部の頂部張出部の先端に第２の部材と係合可能な係合部を有し、前記本体部は、第１バックル本体部と第２バックル本体部との間に介装された前記支軸に案内されて摺動可能な構成とした。
【００１５】
また、本発明によるバックルの前記第２の部材と係合可能な係合部は、フック部と、該フック部に更に突出部とを有する。
【００１６】
また、本発明によるペット用ケージは、トレーと、該トレーの周囲に設けられてペットの居住空間を形成するケージ本体と、該ケージ本体を前記トレーに固定するバックルとを備え、前記バックルは、前記した何れかのバックルによって構成され、前記ケージ本体が組み立てられて前記トレーに据え付けられた状態、又は前記ケージ本体が折り畳まれて前記トレー上に重ねられた状態で、前記バックルによって前記ケージ本体が前記トレー側に一体的に固定される構成とした。
【００１７】
また、本発明によるペット用ケージは、前記バックルの基台が前記トレーのフランジ部近傍に形成された挿入孔にその裏側から挿入されて前記支軸が回動可能に支持され、前記バックルの係合部が前記ケージ本体に係合されている状態において、前記バックルの本体部と支軸とを連結する弾性部材の復元力によって前記トレーと前記ケージ本体とを固定する構成とした。
【００１８】
【発明の実施の形態】
以下、図面を参照して、本発明によるバックル及び該バックルを用いたペット用ケージについて説明する。なお、従来と同じ機能及び構成を有するものについては同じ符号を付して用いる。
【００１９】
まず、本発明によるバックルについて、図１乃至図３を参照して説明する。図１は、第２バックル本体部側からみた斜視図、図２は、第１バックル本体部側からみた斜視図、図３（ａ）は、バックルがケージ本体に係合する前の状態の一部断面を示す図、（ｂ）は、バックルがケージ本体のバックル係止片に係合した状態の一部断面を示す図である。
【００２０】
図１及び図２に示すように、バックル１は、例えば、トレーとケージ本体等の部材を相互に連結する場合に用いられるものであって、基台６と、基端側が基台６に回動可能に支持される支軸２と、支軸２に案内されて摺動可能な本体部とからなっている。
【００２１】
基台６は、図１及び図２に示すように、平板状で、全体が長方形状でなる基板６ｂと、基板６ｂ上に立設された軸支部６ａとからなる。軸支部６ａは、基板６ｂ上に所定距離離間して一対設けられている。この軸支部６ａは、支軸２を回動可能に支持するための切欠部６ｃが形成されており、切欠部６ｃの開方端部は、支軸２が挿入しやすいようにテーパ状に開拡されて形成され、切欠部６ｃの中心は支軸２の軸径よりも狭く形成されて支軸２を確実に保持するようになっている。また、軸支部６ａの基板６ｂ側の側端部には、係止用段部６ｄが形成されて基台６を確実に固定することができる。
【００２２】
図１及び図２に示すように、支軸２は、全体が略Ｕ字状で、先端部が外方向に折り曲げられて基台６の軸支部６ａの切欠部６ｃに回動可能に係合する折曲部２ｂと、弾性部材の他方の端部が係止される係止片２ｃが設けられている。基台６の軸支部６ａの切欠部６ｃには、開方端部側のテーパ状に開拡された面に沿って支軸２の折曲部２ｂが挿入されて回動可能に嵌挿される。また、図１に示すように、弾性部材は、弾性力を有するバネ５でなっている。バネ５は、図１、図３（ａ）及び（ｂ）に示すように、バネ掛止部５ａ、バネ本体部５ｂ、バネフック部５ｃからなっており、所定の弾性力を有するバネを適宜採択すればよい。図３（ａ）及び（ｂ）に示すように、バネ掛止部５ａは、第２バックル本体部４の掛止部４ｂの頂面に係止されてなり、他方のバネフック部５ｃは支軸２の係止片２ｃに掛け止めされ、バネ５の復元力により本体部と支軸２とが連結されて摺動できないようになっている。
【００２３】
また、図３（ｂ）に示すように、第１バックル本体部３の脱着用補助板３ａの下面に指を掛け、他の指を支軸２の押圧部２ａに掛けてバネ５の復元力に抗して図３（ｂ）に示す矢印の方向に第１バックル本体部３を引き上げてからケージ本体１３のバックル係止片１０に第２バックル本体部４に形成されたフック部４ａを引っ掛けて固定する。これによって、ケージ本体１３はバネ５の復元力によってトレー１２上に連結固定される。
【００２４】
次に、図１及び図２に示すように、本体部は、第１バックル本体部３と、第２バックル本体部４とからなる。
【００２５】
第１バックル本体部３は、逆Ｌ字状でなり、その頂部には、脱着用補助板３ａが設けられている。また、脱着用補助板３ａと反対側の底部には、本体部の回動を規制する張出部３ｃが形成されている。
【００２６】
また、第２バックル本体部４は、弾性部材としてのバネ５の一方の端部であるバネ掛止部５ａを係止する面状に形成された掛止部４ｂと、掛止部４ｂと第２バックル本体部４の頂部張出部４ｄとの間に形成された凹部４ｅと、第２バックル本体部４の頂部張出部４ｄの先端に一体に設けられバックル係止片１０に係合可能で鉤状に形成されたフック部４ａを有している。
【００２７】
図１に示すように、第１バックル本体部３と第２バックル本体部４とは、ネジ７で螺合結合されている。
【００２８】
また、図１及び図２に示すように、第１バックル本体部３には第１バックル接合凸部３ｂ及び第１バックル接合凹部３ｄが形成され、第２バックル本体部４には第２バックル接合凹部４ｆ及び第２バックル接合凸部４ｇが形成されている。第１バックル本体部３と第２バックル本体部４が前記のようにネジ７で螺合結合される際に、第１バックル接合凸部３ｂと第２バックル接合凹部４ｆとが嵌合し、第１バックル接合凹部３ｄと第２バックル接合凸部４ｇとが嵌合するようになっている。バネ５の一方の端部であるバネ掛止部５ａは、掛止部４ｂに係止され、他方の端部であるバネフック部５ｃは、支軸２の係止片２ｃに掛け渡されているから、バネ５の復元力によって第１バックル本体３と第２バックル本体部４の支軸２の荷重はネジ７にかかることになる。そこで、ネジ７だけではなく、第１バックル本体部３と第２バックル本体部４の嵌合部にもかかるようにすることによって、バックル１の支軸２の軸方向への強度が増大して破損しにくい構造になっている。
【００２９】
なお、第１バックル本体部３と第２バックル本体部４とは本実施の形態では別体に構成されているが、一体に構成するようにしてもよい。バックル本体部３、バックル本体部４及び基台６は、ＡＢＳ樹脂で成形されているが、それ以外の材料により構成してもよい。
【００３０】
次に、本発明による実施の形態であるバックルの作用について、図３（ａ）及び（ｂ）を参照して説明する。
【００３１】
図３（ａ）に示すように、本体部の第２バックル本体部４に一方のバネ掛止部５ａが係止され、他方のバネフック部５ｃが支軸２の係止片２ｃに掛け止めされ、バネ５の復元力により本体部と支軸２とが連結されて摺動できない。また、第１バックル本体部３の張出部３ｃが基台６の軸支部６ａに当接して回動が規制されている。
【００３２】
次に、図３（ｂ）に示すように、第１バックル本体部３の脱着用補助板３ａの下面に指を掛け、他の指を支軸２の押圧部２ａに掛け、バネ５の復元力に抗して図３（ｂ）に示す矢印の方向に第１バックル本体部３を引き上げてからケージ本体１３のバックル係止片１０に第２バックル本体部４に形成されたフック部４ａを引っ掛けて固定する。これによって、ケージ本体１３はバネ５の復元力によってトレー１２上に連結固定される。
【００３３】
なお、本実施の形態では、第１バックル本体部の頂部には、脱着用補助板３ａが設けられているが、脱着用補助板３ａが設けられていなくてもよく、脱着用補助板３ａが設けられていない場合は、バックル１の本体部の両側面を指で支持し、他の指を支軸２の押圧部２ａに掛け、バネ５の復元力に抗してバックル１の本体部を引き上げてからケージ本体１３のバックル係止片１０に第２バックル本体部４に形成されたフック部４ａを引っ掛けて固定すればよい。
【００３４】
また、ケージ本体１３とトレー１２との連結固定を解除する場合には、第１バックル本体部３の脱着用補助板３ａの下面と支軸２の押圧部２ａに指を掛け、バネ５の復元力に抗してバックル１の本体部を図３（ｂ）に示す矢印方向に一度引き上げて、バックル係止片１０から第２バックル本体部４のフック部４ａを外すと、バックル１の本体部内に装着されているバネ５の復元力によってケージ本体１３とトレー１２との結合が解除される。要するに、前記連結固定をする場合の動作と逆の動作を行えばよい。
【００３５】
なお、本実施の形態では、第１バックル本体部の頂部には、脱着用補助板３ａが設けられているが、脱着用補助板３ａが設けられていなくてもよく、脱着用補助板３ａが設けられていない場合は、バックル１の本体部の両側面を指で支持し、他の指を支軸２の押圧部２ａに掛け、バネ５の復元力に抗してバックル１の本体部を一度引き上げて、バックル係止片１０から第２バックル本体部４のフック部４ａを外すと、バックル１の本体部内に装着されているバネ５の復元力によってケージ本体１３とトレー１２との結合が解除される。
【００３６】
このようにすることによって、本発明によるバックルは、第１の部材と第２の部材との間の連結固定及び解除を簡単に行うことができ、また、その連結力もバネ５の復元力を利用しているから、第１の部材と第２の部材との連結力もバネ５のバネ力を適宜選定すればよい。また、従来のバックルとは異なり、第１の部材と第２の部材との連結位置も高度な寸法精度が必要ではなく、組立誤差などもなく製造することが可能である。
【００３７】
次に、図４及び図５（ａ）及び（ｂ）を参照して、本発明によるバックルの第２の実施の形態について説明する。なお、図Ａ乃至図Ｃと実質的に同一の機能及び同一の構成を有するものについては同じ符号を付して説明し、同一の部分についてはその説明を省略する。
【００３８】
図４及び図５（ａ）及び（ｂ）に示すように、バックル１は、第２バックル本体部４のフック部４ａの幅よりも狭い幅で、更に凹部４ｅ内に突出する突出部４ｃが形成されている。こうすることによって、図５（ｂ）に示すように、バックル係止片１０との係合をより確実に行うことができる。突出部４ｃの形状と幅は、適宜選定することができる。突出部４ｃは、フック部４ａよりも更に突出しているので、バネ５のバネ力が同一の場合でも部材同士の連結をより確実に行うことができる。従って、側壁１３ａとの距離Ｌをある程度自由に設定することが可能である。
【００３９】
次に、本発明によるペット用ケージの実施の形態について、図６乃至図９を参照して説明する。なお、図１乃至図５に示すバックルと同一の構成及び機能を有する部分については同一の符号を用い、その詳細な説明は省略する。
【００４０】
図６は、本発明によるトレーとケージ本体との組立の状態を示す図であり、（ａ）及び（ｂ）は一部部分拡大図を示す図、図７は、本発明によるトレーとケージ本体とを組み立てた状態を示す図であり、一部部分拡大図を示す図、図８は、本発明によるトレーとケージ本体とを閉じた状態を示す図であり、一部部分拡大図を示す図、図９は、本発明によるケージ本体の側面図である。
【００４１】
図６に示すように、本発明によるペット用ケージは、トレー１２と、このトレー１２の周囲に設けられてペットの居住空間を形成するケージ本体１３と、このケージ本体１３とトレー１２とを連結固定するバックル１とからなる。
【００４２】
図３及び図５にも示すように、トレー１２は、ＡＢＳ樹脂で成形され、全体が皿状になっており、フランジ部１２ａ、縦壁部１２ｂ、底板部１２ｃからなり、一体に成形されている。
【００４３】
フランジ部１２ａには、平板状で略長方形状の基板６ｂよりもやや小さな大きさで形成された挿入孔（図示せず）が形成されている。そして、図３及び図５に示すように、フランジ部１２ａの下方から軸支部６ａ及び基板６ｂを挿入して係止用段部６ｄがフランジ部１２ａに確実に係止されるまで挿入して固定する。バックル１の基台６も全体がＡＢＳ樹脂で成形されているため、挿入時に撓ませて挿入することが可能である。
【００４４】
図６乃至図９に示すように、ケージ本体１３の側壁１３ａは、細い金属の棒材を格子状に組み合わせて構成されたもので、正面、左右側面及び背面の４枚の側壁１３ａがヒンジ結合により回動可能に結合され、全体が箱状に形成されている。この箱状のケージ本体１３は、各側壁１３ａが脱着可能な連結部材１４によって確実に組み立てられて構成されている。また、正面の側壁１３ａは、ペットの出入口１３ｂが設けられ、図９に示すように、左右側面の側壁１３ａは、中央で２つに分割されており、これらは回動可能なヒンジ結合によって折り畳み可能に構成されている。図８に示すように、前記左右側面の側壁１３ａが中央で内側に折り畳まれることによってケージ本体１３を薄く折り畳むことができる。
【００４５】
図６及び図７に示すように、ケージ本体１３の側壁１３ａの下部には、バックル係止片１０が左右側面に２個ずつ、合計４個設けられており、このバックル係止片１０に合わせてバックル１が設けられる。また、前記各バックル係止片１０に対応して、バックル係止片１０よりもやや下方方向に、側壁１３ａをバックル係止片１０とで挟むようにしてバックル係止補助片１１が設けられており、バックル１がバックル係止片１０に係止されている場合においてケージ本体１３への衝撃によってバックル１が解除されることを防止する構造となっている。ケージ本体１３は、本実施の形態では、格子状の側面壁１３ａからなるが、このような側面壁に限らず、全体が閉塞されているようなものでもよく、適宜選定して用いることができる。
【００４６】
図７に示すように、ケージ本体１３は、バックル１によってトレー１２と弾性的に連結固定されるようになっており、また、図８に示すように、ケージ本体１３が折り畳まれた状態でバックル１によりトレー１２と弾性的に連結固定されるようになっている。
【００４７】
次に、図６乃至図９を参照して、本発明によるペット用ケージの実施の形態の作用について説明する。
【００４８】
図６に示すように、ペット用ケージを組み立てる場合には、ケージ本体１３の側面壁１３ａを四角形の箱状に開いてトレー１２上に載置する。そして、図６（ａ）に示すように、軸支部６ａの切欠部６ｃ内にバックル１の折曲部２ｂを挿入する。そして、図７に示すように、バックル１の脱着用補助板３ａ及び支軸２の押圧部２ａに指を掛けて脱着用補助板３ａを支軸２に沿って上方に引き上げてバックル係止片１０に第２バックル本体部４のフック部４ａ（及び突出部４ｃ）を引っ掛ける。そうすると、バックル１の本体部内に装着されているバネ５の復元力によってケージ本体１３とトレー１２とが確実に連結固定される。
【００４９】
また、ケージ本体１３とトレー１２との連結を解除する場合には、バックル１の脱着用補助板３ａ及び支軸２の押圧部２ａに指を掛けて脱着用補助板３ａを支軸２に沿って上方に引き上げてバックル係止片１０から第２バックル本体部４のフック部４ａを外すと、バックル１の本体部内に装着されているバネ５の復元力によってケージ本体１３とトレー１２との結合が解除される。
【００５０】
【発明の効果】
以上説明したように、本発明によれば、本体部に一方の端部が係止され、他方の端部が支軸に係止されてなる弾性部材により本体部と支軸とを連結する構成としたので、設計の自由度が増し、しかも取り扱いが簡単で、着脱が容易である。
【００５１】
また、本発明によれば、トレーとケージ本体との相互の連結が確実で、しかも着脱が容易であるという効果を有する。
【図面の簡単な説明】
【図１】第２バックル本体部側からみた斜視図である。
【図２】第１バックル本体部側からみた斜視図である。
【図３】（ａ）は、バックルがケージ本体に係合する前の状態の一部断面を示す図であり、（ｂ）は、バックルがケージ本体のバックル係止片に係合した状態の一部断面を示す図である。
【図４】第２バックル本体部側からみた第２の実施の形態を示す斜視図である。
【図５】（ａ）は、バックルがケージ本体に係合する前の状態の一部断面を示す図であり、（ｂ）は、バックルがケージ本体のバックル係止片に係合した状態の一部断面を示す図である。
【図６】本発明によるトレーとケージ本体との組立の状態を示す図であり、（ａ）及び（ｂ）は一部部分拡大図を示す図である。
【図７】本発明によるトレーとケージ本体との組み立てた状態を示す図であり、一部部分拡大図を示す図である。
【図８】本発明によるトレーとケージ本体とを閉じた状態を示す図であり、一部部分拡大図を示す図である。
【図９】本発明によるケージ本体の側面図である。
【図１０】従来のバックルの要部を示す拡大図である。
【符号の説明】
１　　　　　　　　バックル
２　　　　　　　　支軸
２ａ　　　　　　　押圧部
２ｂ　　　　　　　折曲部
２ｃ　　　　　　　係止片
３　　　　　　　　第１バックル本体部
３ａ　　　　　　　脱着用補助板
３ｂ　　　　　　　第１バックル接合凸部
３ｃ　　　　　　　張出部
３ｄ　　　　　　　第１バックル接合凹部
４　　　　　　　　第２バックル本体部
４ａ　　　　　　　フック部
４ｂ　　　　　　　掛止部
４ｃ　　　　　　　突出部
４ｄ　　　　　　　頂部張出部
４ｅ　　　　　　　凹部
４ｆ　　　　　　　第２バックル接合凹部
４ｇ　　　　　　　第２バックル接合凸部
５　　　　　　　　バネ
５ａ　　　　　　　バネ掛止部
５ｂ　　　　　　　バネ本体部
５ｃ　　　　　　　バネフック部
６　　　　　　　　基台
６ａ　　　　　　　軸支部
６ｂ　　　　　　　基板
６ｃ　　　　　　　切欠部
６ｄ　　　　　　　係止用段部
７　　　　　　　　ネジ
１０　　　　　　　　バックル係止片
１１　　　　　　　　バックル係止補助片
１２　　　　　　　　トレー
１２ａ　　　　　　　フランジ部
１２ｂ　　　　　　　縦壁部
１２ｃ　　　　　　　底板部
１３　　　　　　　　ケージ本体
１３ａ　　　　　　　側壁
１３ｂ　　　　　　　出入口
１４　　　　　　　　連結部材
６０　　　　　　　　従来のバックル
６１　　　　　　　　支軸部
６２　　　　　　　　基板
【図１】
2004121126.tif 000003
【図２】
2004121126.tif 000004
【図３】
2004121126.tif 000005
【図４】
2004121126.tif 000006
【図５】
2004121126.tif 000007
【図６】
2004121126.tif 000008
【図７】
2004121126.tif 000009
【図８】
2004121126.tif 000010
【図９】
2004121126.tif 000011
【図１０】
2004121126.tif 000012